(57)【要約】      （修正有）【課題】電子ビューファインダーなど、表示パネルを備えた電子機器において、粉塵の結像の問題を解決して高画質な映像を表示することができるとともに、表示装置の汎用性を確保して製造コストを低減する。【解決手段】表示面２０ａが形成された表示パネル２を収納するとともに、表示面２０ａと対向する面に、表示面２０ａを視認可能とする開口部３１を有する筐体部３ａと、筐体部３ａの開口部３１に嵌合され、表示面２０ａを視認可能とする透過ガラスを有する防塵用基板４とを備え、筐体部３ａは、表示面２０ａの視認方向に、単位ブロック体３０を複数個連結して形成され、単位ブロック体３０は、防塵用基板４が嵌合可能な凸状部３２と、凸状部３２よりも拡大された断面積を有し、凸状部又は表示パネル２が嵌合可能な収納部３８とを有する。【選択図】図３
2014157307.tif 000002
【特許請求の範囲】
【請求項１】
基板上に表示面が形成された表示パネルと、
前記表示パネルを収納するとともに、前記表示面と対向する面に、前記表示面を視認可能とする開口部を有する筐体部と、
前記筐体部の前記開口部に嵌合され、前記表示面を視認可能とする透過ガラスを有する防塵用基板と、
を備え、
前記筐体部は、前記表示面の視認方向に、単位ブロック体を複数個連結可能に形成され、
前記単位ブロック体は、
前記透過ガラスが嵌合可能な凸状部と、
前記凸状部よりも拡大された断面積を有し、前記凸状部又は前記表示パネルが嵌合可能な収納部と
を有することを特徴とする表示装置。
【請求項２】
前記収納部の、前記視認方向と直交する側方には、前記パネルが収納される前記収納部内の中空部に連通する取出口が形成されていることを特徴とする請求項１に記載の表示装置。
【請求項３】
前記単位ブロック体は、
前記収納部と前記凸状部との間において、前記収納部外縁から前記凸状部外縁に向かって傾斜されたテーパー部を有し、
前記取出口は、前記収納部の、前記テーパー部に隣接する側面に形成され、
前記中空部は、前記凸状部とともに前記テーパー部が嵌合可能な形状をなし、
前記テーパー部上面の、前記取出口に対応する箇所に、前記取出口の断面形状と同一形状の断面形状を有する係合部を有する
ことを特徴とする請求項２に記載の表示装置。
【請求項４】
請求項１乃至３に記載の表示装置を備えたことを特徴とする電子機器。
【請求項５】
基板上に表示面が形成された表示パネルの表示面側に、前記表示面を視認可能とする透過ガラスを有する防塵用基板を取り付ける取付け構造であって、
前記表示パネルを収納するとともに、前記表示面と対向する面に、前記表示面を視認可能とする開口部を有する筐体部を備え、
前記筐体部は、前記表示面の視認方向に、複数の単位ブロック体を複数個連結可能に形成され、
前記単位ブロック体は、
前記透過ガラスが嵌合可能な凸状部と、
前記凸状部よりも拡大された断面積を有し、前記凸状部又は前記表示パネルが嵌合可能な収納部と
を有することを特徴とする取付け構造。
【請求項６】
前記収納部の、前記視認方向と直交する側方には、前記パネルが収納される前記収納部内の中空部に連通する取出口が形成されていることを特徴とする請求項５に記載の取付け構造。
【請求項７】
前記単位ブロック体は、
前記収納部と前記凸状部との間において、前記収納部外縁から前記凸状部外縁に向かって傾斜されたテーパー部を有し、
前記取出口は、前記収納部の、前記テーパー部に隣接する側面に形成され、
前記中空部は、前記凸状部とともに前記テーパー部が嵌合可能な形状をなし、
前記テーパー部上面の、前記取出口に対応する箇所に、前記取出口の断面形状と同一形状の断面形状を有する係合部を有する
ことを特徴とする請求項６に記載の取付け構造。
【発明の詳細な説明】
【技術分野】
【０００１】
本発明は、表示装置、この表示装置を備える電子機器、及び、表示パネルの取付け構造に関する。
【背景技術】
【０００２】
近年においては、撮像装置の電子ビューファインダーが開発されている。この撮像装置の電子ビューファインダーは、撮影中の映像信号に基づいて、液晶パネルや有機ＥＬパネル等の表示パネル上に光学像を表示し、接眼レンズを備える光学系を介して光学像を拡大して観察者の眼に結像させることによって、画像表示を行う。このような電子ビューファインダー等の表示装置１１０では、図１２（ａ）に示すように、表示パネル１１１の表示面１１１ａに透過ガラス１１２が貼り付けられ、表示パネル１１１の表示面１１１ａを保護している。
【０００３】
ところが、従前より、この電子ビューファインダー等の表示装置では、表示面１１１ａの表面にごみや埃等（  以下、単に「粉塵」という。）  が付着すると、その粉塵７の像も観察者の眼に結像されてしまい、画像の品質が低下する問題があった。これは、映像光が、表示パネル１１１の表示面１１１ａ近傍にその焦点を結ぶように集光されるため、表示パネル１１１の表示面１１１ａ近くに付着した粉塵が観察者の眼に入り込んでしまうためである。
【０００４】
このような問題を解決すべく、図１２（ｂ）〜（ｄ）に示すように、表示パネル１１１の表示面１１１ａから光軸上に所定距離離れた位置に表示装置１１０全体の表面１１０ａを設け、表示パネル１１１の表示面１１１ａと、表示装置全体の表面１１０ａに付着された粉塵位置との間に光学的な距離差（焦点差）を持たせることで、粉塵の焦点位置をずらす、いわゆる、デフォーカスさせる技術がある。これにより、表示装置１１０全体の表面１１０ａに付着した粉塵７の焦点はずれるため、観察者の眼には観察されないようになる。なお、以下、表示パネル１１１の表示面１１１ａと表示装置１１０全体の表面１１０ａとを間の距離をデフォーカス寸法という。
【０００５】
具体的に上述した技術は、図１２（ｂ）に示すように、透過ガラス１１２に厚みを持たせて、表示パネル１１１の表示面１１１ａと表示装置１１０全体の表面１１０ａとの間をデフォーカス寸法ｄ１とする。或いは、図１２（ｃ）に示すように、透過ガラス１１２上に防塵用基板１１３を貼り合わせて、表示パネル１１１の表示面１１１ａと表示装置１１０全体の表面１１０ａとの間をデフォーカス寸法ｄ１とする。
【０００６】
さらに、その他の技術としては、図１２（ｄ）に示すように、ケース１１４内部に表示パネル１１１を収容して、表示パネル１１１の表示面１１１ａと表示装置１１０全体の表面１１０ａとの間をデフォーカス寸法ｄ１とするものがある（例えば、特許文献１〜４参照）。
【先行技術文献】
【特許文献】
【０００７】
【特許文献１】特開２００９−１９２５６４号公報
【特許文献２】特開２００４−２０６０３号公報
【特許文献３】特開平７−４５９７０号公報
【特許文献４】特開平５−１０７５２９号公報
【発明の概要】
【発明が解決しようとする課題】
【０００８】
しかしながら、図１２（ｂ）に示した防塵用基板に厚みを持たせた構成では、防塵用基板の重量があるため、表示装置全体の重量負荷が増加してしまう問題がある。さらに、撮像装置の仕様に応じて、設定されるデフォーカス寸法が異なるため、図１２（ｂ）〜（ｄ）に示したような、上記のいずれの技術においても、各撮像装置の仕様に対応したデフォーカス寸法を有する防塵用基板、防塵カバー部材、又は筐体を製造しなければならず、部材点数が嵩み、製造コストが増大する問題もある。
【０００９】
本発明は、上述した事情を考慮してなされたものであり、電子ビューファインダーなど、表示パネルを備えた電子機器において、粉塵の結像の問題を解決して高画質な映像を表示できるとともに、表示装置の汎用性を確保して製造コストを低減することができる表示装置、その表示装置を備えた電子機器、及び表示パネルに防塵用基板を取り付ける取付け構造を提案することを解決課題とする。
【課題を解決するための手段】
【００１０】
上記課題を解決するために、本発明に係る表示装置は、基板（例えば、図３の基板２１）上に表示面（例えば、図３の表示面２０ａ）が形成された表示パネル（例えば、図３の表示パネル２）と、表示パネルを収納するとともに、表示面と対向する面に、表示面を視認可能とする開口部（例えば、図３の開口部３１）を有する筐体部（例えば、図５の筐体部３ａ）と、筐体部の開口部に嵌合され、表示面を視認可能とする透過ガラスを有する防塵用基板（例えば、図３の防塵用基板４）とを備え、前記筐体部は、前記表示面の視認方向に、単位ブロック体（例えば、図５の単位ブロック体３０）を複数個連結可能に形成され、単位ブロック体は、透過ガラスが嵌合可能な凸状部（例えば、図３の凸状部３２）と、凸状部よりも拡大された断面積を有し、凸状部又は表示パネルが嵌合可能な収納部（例えば、図３の収納部３８）とを有することを特徴とする。
【００１１】
また、他の発明に係る取り付け構造は、基板（例えば、図３の基板２１）上に表示面（例えば、図３の表示面２０ａ）が形成された表示パネル（例えば、図３の表示パネル２）の表示面側に、表示面を視認可能とする透過ガラスを有する防塵用基板（例えば、図３の防塵用基板４）を取り付ける取付け構造（例えば、図３の取付け構造３）であって、表示パネルを収納するとともに、表示面と対向する面に、表示面を視認可能とする開口部を有する筐体部（例えば、図３の筐体部３ａ）を備え、前記筐体部は、前記表示面の視認方向に、単位ブロック体（例えば、図５の単位ブロック体３０）を複数個連結可能に形成され、単位ブロック体は、透過ガラスが嵌合可能な凸状部（例えば、図３の凸状部３２）と、凸状部よりも拡大された断面積を有し、凸状部又は表示パネルが嵌合可能な収納部（例えば、図３の収納部３８）とを有することを特徴とする。
【００１２】
これらのような本発明によれば、表示パネルを筐体部に収納し、筐体部の開口部に防塵用基板を嵌合させることで、表示パネルの表示面と表示装置全体の表面との間を所定のデフォーカス寸法に設定することができる。その結果、防塵用基板の表面に防塵が付着された場合であっても粉塵の焦点をずらすことができるため、表示パネルから表示される映像を、高画質のまま観察者に観察させることができる。
【００１３】
また、本発明において筐体部は、表示面の視認方向に連結される複数の単位ブロック体で形成されており、単位ブロック体は、複数の単位ブロック体で凸状部よりも拡大された断面積を有し、透過ガラスが嵌合可能な凸状部又は表示パネルが嵌合可能な収納部を有しているので、単位ブロック体を個数連結させることで、デフォーカス寸法を調節することができる。これにより、各メーカーの仕様に応じて設定が異なる表示装置のデフォーカス寸法を単一の装置で対応できるため、表示装置の汎用性を確保して、表示装置の製造コストを低減することができる。
【００１４】
なお、本発明において、「視認可能」とは、表示パネルと開口部とが互いに平行な平面内に位置し、筐体部の外部から開口部を通した視野範囲が、内部の表示パネルの一部又は全部と重複する状態を意味し、「視認方向」とは、前記表示パネルの表示面に対する法線方向及び法線に対して所定角度を有する方向を意味する。また、本発明において、「嵌合可能」とは、環状又は中空をなす凸状部や収納部の内周面において、透過ガラスや凸状部又は表示パネルの周縁が囲繞されて保持され得る状態を意味する。
【００１５】
上記発明において、収納部の、視認方向と直交する側方には、パネルが収納される収納部内の中空部（例えば、図５の中空部３３）に連通する取出口（例えば、図５の取出口３５）が形成されていることが好ましい。この場合には、収納部内の中空部に連通する取出口が収納部側方に形成されているので、表示装置を収納部内に収納させた際、表示パネルに接続される配線やＩＣ回路等を含んだ配線用基板を取出口に配置させることができる。
【００１６】
上記発明において、単位ブロック体は、収納部と凸状部との間において、収納部外縁から凸状部外縁に向かって傾斜されたテーパー部（例えば、図５のテーパー部３４）を有し、取出口は、収納部の、テーパー部に隣接する側面（例えば、図５の側面３８ａ）に形成され、中空部は、凸状部とともにテーパー部が嵌合可能な形状をなし、テーパー部上面の、取出口に対応する箇所に、取出口の断面形状と同一形状の断面形状を有する係合部（例えば、図５の係合部３６）を有することが好ましい。
【００１７】
この場合、中空部は、凸状部とともにテーパー部が嵌合可能な形状をなしているとともに、取出口に対応する箇所に取出口の断面形状と同一形状の断面形状を有する係合部を有しているので、単位ブロック体を連結させた際、単位ブロック体同士に隙間が生じず、中空部の空間と外部とを遮断させることができるため、表示パネルの表面に粉塵が付着することをより確実に防止することができる。
【００１８】
また、他の本発明における電子機器（例えば、図１の電子ビューファインダー１０）は、上記に記載の表示装置を備えることを特徴とする。この本発明によれば、汎用性があり、防塵性が高い表示装置を備えているので、高品質、且つ、高性能の電子機器を提供することができる。
【図面の簡単な説明】
【００１９】
【図１】実施形態に係る表示装置を備えた電子機器の一例として、デジタルカメラを示す斜視図である。
【図２】実施形態に係る電子ビューファインダーの内部構造を模式的に示す側面図である。
【図３】実施形態に係る表示装置の分解斜視図である。
【図４】実施形態に係る表示パネルを示す平面図である。
【図５】図３に示すＡ−Ａ’断面図である。
【図６】実施形態に係る単位ブロック体の模式断面図である。
【図７】実施形態に係る表示装置の組み立て動作を示す説明図である。
【図８】実施形態に係る表示装置における表示位置と粉塵位置との位置関係を示す説明図である。
【図９】（ａ）は、変形例に係る筐体部を外観を示す斜視図であり、同図（ｂ）は、同図（ａ）におけるＢ−Ｂ’断面図である。
【図１０】変形例に係る単位ブロック体を示す模式断面図である。
【図１１】変形例に係る単位ブロック体を連結させた表示装置を示す模式断面図である。
【図１２】（ａ）〜（ｄ）は、従来に係る表示位置と粉塵位置との位置関係を示す説明図である。
【発明を実施するための形態】
【００２０】
以下、この発明の好適な実施の形態を、添付図面等を参照しながら詳細に説明する。ただし、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２１】
＜Ａ：電子機器の構成＞
先ず、本実施形態に係る電子機器について説明する。図１は、本実施形態に係る表示装置を備えた電子機器の一例として、デジタルカメラ１を示す斜視図であり、図２は、本実施形態に係る電子ビューファインダーの内部構造を模式的に示す側面図である。
【００２２】
図１に示すように、電子機器としてのデジタルカメラ１に、撮像素子で撮影した画像をデジタルデータとして記録する装置であり、被写体の画像やその他の情報を表示するための電子ビューファインダー１０及び背面ディスプレイ１２が備えられている。
【００２３】
詳述すると、このようなデジタルカメラ１では、レンズ１１から入った光をＣＣＤイメージセンサ（Ｃｈａｒｇｅ  Ｃｏｕｐｌｅｄ  Ｄｅｖｉｃｅ  Ｉｍａｇｅ  Ｓｅｎｓｏｒ）などの撮像素子で捕らえて、デジタルデータである画像データに変換し、電子ビューファインダー１０、及び背面ディスプレイ１２の画面上に画像データを表示させる。
【００２４】
電子ビューファインダー１０では、図２に示すように、表示装置１００の表示パネル２上によって光学像を形成し、接眼レンズ等を有する光学系１０１を介して拡大して観察者の眼に結像させる。
【００２５】
＜Ｂ：表示装置１００の構成＞
次いで、上述した表示装置１００の構造について説明する。図３は、本実施形態に係る表示装置１００の分解斜視図である。図３に示すように、本実施形態に係る表示装置１００は、光学像を射出する表示パネル２と、表示パネル２の表面に粉塵が付着することを防止する防塵用基板４と、表示パネル２の表示面側に防塵用基板４を取り付ける取付け構造３とを有してる。
【００２６】
（１）表示パネル２の構成
先ず、表示パネル２の構成を、図４を参照して説明する。図４は、本実施形態に係る表示パネル２を示す平面図である。本実施形態において、表示パネル２は、スイッチング素子としてトランジスターを用いたアクティブマトリックス型の有機ＥＬパネルである。トランジスターとしては、薄膜半導体層を用いた薄膜トランジスター（Ｔｈｉｎ  Ｆｉｌｍ  Ｔｒａｎｓｉｓｔｏｒ、以下、ＴＦＴと呼ぶ）であってもよいし、半導体基板自体にチャネルが形成されるトランジスターであってもよい。
【００２７】
この表示パネル２は、図３に示すように、基板２１と、基板２１の表面を保護する透過ガラス等で形成される対向基板２２とが対向配置されるとともに、基板２１の一辺側には、フレキシブル基板２３が設けられている。本実施形態においては、図３における表示パネル２の対向基板２２側を上方と呼ぶ。そして、表示パネル２の上方の面（対向基板２２の表面）を表示面２０ａと呼び、その反対側の下面（基板２１の表面）を裏面２０ｂと呼び、表示パネル２における表示面２０ａ及び裏面２０ｂと交差する面を側面２０ｃと呼ぶ。また、本明細書では、表示パネル２の対向基板２２側表面の法線方向から見ることを「平面視」と呼ぶ。図４は、対向基板２２を省略した状態で表示パネル２を平面視した図である。
【００２８】
そして、基板２１は、図４に示すように、平面視で略矩形状をなしており、基板２１上には、略矩形の平面形状を有する発光領域２４を備えている。発光領域２４は、表示パネル２において、実質的に発光に寄与する領域であり、この領域内に、表示パネル２の表示の最小単位であるサブ画素４が配列されている。  本実施形態に係る表示パネル２は、赤色（Ｒ）波長帯域の光を射出するサブ画素４Ｒと、緑色（Ｇ）波長帯域の光を射出するサブ画素４Ｇと、青色（Ｂ）波長帯域の光を射出するサブ画素４Ｂとを有している（以下では、赤色、緑色、青色を、それぞれＲ、Ｇ、Ｂと記し、対応する色を区別しない場合には単にサブ画素４とも呼ぶ）。
【００２９】
また、基板２１上には、発光領域２４の外周には、不図示のデータ線に画像信号を所定のタイミングで供給することにより、該データ線を駆動するデータ線駆動回路２６と、不図示の走査線に走査信号を所定のタイミングで供給することにより該走査線を駆動する走査線駆動回路２８とが形成されている。また、基板２１の外周部には、陰極用配線２７が配置され、フレキシブル基板２３は、各配線と接続された駆動用ＩＣ２９を備えている。
【００３０】
本実施形態に係る表示パネル２では、画像を形成する際の一つの単位がサブ画素４Ｒ，４Ｇ，４Ｂの画素群により構成され、それぞれの単位においてサブ画素４Ｒ，４Ｇ，４Ｂのそれぞれの輝度を適宜変えることで、種々の色の光を射出することができる。これにより、表示パネル２は、フルカラー表示又はフルカラー発光が可能である。
【００３１】
そして、このような表示パネル２には、サブ画素４Ｒ，４Ｇ，４Ｂに対応して、有機ＥＬ素子６Ｒ，６Ｇ，６Ｂが設けられている（以下では、サブ画素４と同様に対応する色を区別しない場合には単に有機ＥＬ素子６とも呼ぶ）。具体的には、表示パネル２には、基板２１と対向基板２２との間に、有機ＥＬ素子６を構成する有機機能層２５が封入されている。有機機能層２５は、例えば、順に積層された正孔輸送層と発光層と電子輸送層とで構成され、正孔輸送層から注入される正孔と、電子輸送層から注入される電子とが発光層で再結合することにより発光が得られる。
【００３２】
さらに、本実施形態において、表示パネル２は、有機機能層２５から発した光が対向基板２２側に射出されるトップエミッション型である。また、表示パネル２は、Ｒ，Ｇ，Ｂの各波長帯域の光を共振させる光共振構造を有している。
【００３３】
基板２１は、表示パネル２がトップエミッション型であることから、基材に透光性材料及び不透光性材料のいずれを用いてもよい。透光性材料としては、例えば、ガラス、石英、樹脂（プラスチック、プラスチックフィルム）等があげられる。不透光性材料としては、例えば、アルミナ等のセラミックス、ステンレススチール等の金属シートに表面酸化等の絶縁処理を施したもの、熱硬化性樹脂や熱可塑性樹脂、及びそのフィルム（プラスチックフィルム）等があげられる。また、基板２１として、ガラス、石英、樹脂（プラスチック、プラスチックフィルム、セラミックス等としたが、シリコンなどの半導体基板であってもよいし、ＳＯＩ基板であってもよい。
【００３４】
対向基板２２は、ガラス等の透光性材料で構成されている。対向基板２２の基板２１側の面には、少なくともカラーフィルターが形成されており、遮光層を有してもよい。カラーフィルターとして、Ｒの波長帯域に対応するカラーフィルターと、Ｇの波長帯域に対応するカラーフィルターと、Ｂの波長帯域に対応するカラーフィルターとを有している。それぞれのカラーフィルターは、サブ画素４Ｒ，４Ｇ，４Ｂに対応して配置され、平面視で有機ＥＬ素子６Ｒ，６Ｇ，６Ｂに重なるように設けられている。カラーフィルターとは、有機ＥＬ素子６Ｒ，６Ｇ，６Ｂから射出される光のうち、Ｒ，Ｇ，Ｂの各波長帯域の光を選択的に透過させるためのものである。
【００３５】
（２）取付け構造３の構成
次に、取付け構造３について説明する。図５は、図３に示すＡ−Ａ’断面図であり、図６は、実施形態に係る単位ブロック体３０の模式断面図である。
【００３６】
本実施形態において、取付け構造３は、図３及び図５に示すように、表示パネル２を収納するとともに、表示パネル２の表示面２０ａと対向する面に、表示面２０ａを視認可能とする開口部３１を有する筐体部３ａから構成される。この筐体部３ａは、例えば、アルミニウム、銅、或いはこれらの合金等の金属材料や、熱硬化性樹脂や熱可塑性樹脂等で形成され、本実施形態においては、複数の単位ブロック体３０を表示面２０ａの視認方向（表示面２０ａの法線方向）に連結可能となっている。なお、図３では、単位ブロック体３０を２つ連結させた筐体部３ａを示している。
【００３７】
単位ブロック体３０の構成としては、図６に示すように、凸状部３２と、凸状部３２よりも拡大された断面積を有する収納部３８と、収納部３８と凸状部３２との間において、収納部３８外縁から凸状部３２外縁に向かって傾斜されたテーパー部３４とから形成されている。
【００３８】
凸状部３２は、表示面２０ａと対向する面に、表示面２０ａを視認可能とする開口部３１を有しており、この開口部３１に防塵用基板４が嵌合可能となっている。具体的には、この開口部３１を形成させる凸状部３２の内面３２ａが、防塵用基板４の側面と接触することで、開口部３１に防塵用基板４が嵌合される。防塵用基板４は、表示面２０ａを視認可能とする透過ガラス、石英、樹脂（プラスチック、プラスチックフィルム）等の透光性材料等で形成される。
【００３９】
収納部３８は、凸状部３２又は表示パネル２を収納する部材であり、下方が開口した下部開口部３７を備えるとともに、収納部３８の内部には、表示パネル２が収納される空間を有する中空部３３を備えている。また、収納部３８の、視認方向と直交する側方には、中空部３３に連通する取出口３５が形成されている。具体的に取出口３５は、図６に示すように、収納部３８におけるテーパー部３４に隣接する１つの側面３８ａに形成されている。テーパー部３４には、その上面において、取出口３５に対応する箇所に係合部３６を有している。
【００４０】
そして、中空部３３は、凸状部３２とともにテーパー部３４が嵌合可能な形状をなしている。具体的には、図５及び図６に示すように、中空部３３を形成させる収納部３８、テーパー部３４及び凸状部３２の内形は、収納部３８、テーパー部３４、及び凸状部３２の外形と同一形状となっており、このような形状とすることで、単位ブロック体３０を連結させた際には、図５に示すように、単位ブロック体３０同士は、隙間が生じることなく積み重ねることができるようになっている。
【００４１】
また、取出口３５が形成された側方では、図６に示すように、係合部３６が備えられ、係合部３６は、取出口３５の断面形状と同一形状の断面形状を有しており、連結時には、図５に示すように、取出口３５に係合部３６が収納され、取出口３５が形成された側方においても、隙間が生じることなく積み重ねることができるようになっている。
【００４２】
また、中空部３３には、表示パネル２を内部に固定するための固定部を有している。この固定部としては、図６に示すように、収納部３８の内部に形成され、表示パネル２の側面２０ｃ，２０ｃと対向する内面３３ａ，３３ａが固定部として機能する。具体的には、対向する内面３３ａ，３３ａ間の距離を、表示パネル２の側面２０ｃ，２０ｃ間の距離と同寸法に形成させて表示パネル２が嵌合されるようになっている。なお、固定手段としては、図示しないが、下部開口部３７に底板を設け、底板上に表示パネル２を固定する構成であってもよい。
【００４３】
このような表示装置１００を組み立てる際には、図７に示すように、先ず、表示パネル２を筐体部３ａの下部開口部３７から内部に挿通させるとともに、表示パネル２のフレキシブル基板２３を取出口３５に配置させて、表示パネル２を収納部３８の中空部３３に収納させる。この際、表示パネル２は、収納部３８の内面３３ａ，３３ａによって取り付けて可能である。その後、表示パネル２を収容した単位ブロック体３０の凸状部３２及びテーパー部３４を、他の単位ブロック体３０の中空部３３に嵌合させて連結させる。そして、この動作を繰り返し、複数の単位ブロック体３０を連結させることで、筐体部３ａを形成させる。最後に、凸状部３２の開口部３１に防塵用基板４を取り付けることで、表示装置１００が形成される。
【００４４】
上述した表示装置１００、デジタルカメラ１（電子ビューファインダー１０）の他、携帯電話機、ヘッドマウントディスプレイ（Ｈｅａｄ  Ｍｏｕｎｔｅｄ  Ｄｉｓｐｌａｙ：ＨＭＤ）、小型プロジェクター、モバイルコンピューター、デジタルビデオカメラ、ディスプレイ、車載機器、オーディオ機器、露光装置や照明機器等の各種電子機器に用いることができる。この表示装置１００をこれらの電子機器に組み込む場合には、各電子機器に対し、組み込みに適した形状（電子機器側の形状と適合する形状）に適宜変更可能である。
【００４５】
＜Ｃ：作用・効果＞
以上述べたように、本実施形態に係る表示装置１００及び電子機器の構成によれば、表示パネル２を筐体部３ａに収納し、筐体部３ａの開口部３１に防塵用基板４を嵌合させることで、図８に示すように、表示パネル２の表示面２０ａと表示装置１００全体の表面１００ａとの間を所定のデフォーカス寸法ｄ１に設定することができる。その結果、防塵用基板４の表面に粉塵７が付着された場合であっても粉塵７の焦点をずらすことができ、表示パネル２から表示される映像を、高画質のまま観察者に観察させることができる。
【００４６】
また、本実施形態において筐体部３ａは、表示面２０ａの視認方向に連結される複数の単位ブロック体３０で形成されており、単位ブロック体３０の収納部３８は、凸状部３２又は表示パネル２が嵌合可能であるため、単位ブロック体３０を任意の個数連結させることで、デフォーカス寸法ｄ１を調節することができる。これにより、各表示装置１００の仕様に応じて設定が異なるデフォーカス寸法ｄ１を単一の装置で対応できるため、表示装置１００の汎用性を確保して、表示装置１００の製造コストを低減することができる。
【００４７】
本実施形態において、収納部３８の、視認方向と直交する側方には、表示パネル２が収納される収納部３８内の中空部３３に連通する取出口３５が形成されているので、表示装置１００を収納部３８内に収納させた際、表示パネル２に接続されるフレキシブル基板２３を取出口３５に配置させることができる。
【００４８】
また、本実施形態において、中空部３３は、凸状部３２とともにテーパー部３４が嵌合可能な形状をなしているとともに、取出口３５に対応する箇所に係合部３６を有しているので、単位ブロック体３０を連結させた際、単位ブロック体３０間に隙間が生じず、中空部３３の空間と外部とを遮断させることができるため、表示パネル２の表示面２０ａに粉塵７が付着することをより確実に防止することができる。
【００４９】
また、本実施形態において、電子ビューファインダー１０及び電子ビューファインダー１０を備えるデジタルカメラ１は、このような表示装置１００を備えているので、ユーザーに対して、汎用性があり、防塵性が高い電子機器を提供することができる。
【００５０】
＜Ｄ：変形例＞
なお、上述した実施形態は、あくまでも本発明の一態様を示すものであり、本発明の範囲内で任意に変形及び応用が可能である。変形例としては、例えば、以下のようなものが考えられる。図９（ａ）は、変形例に係る筐体部５の外観を示す斜視図であり、同図（ｂ）は、（ａ）におけるＢ−Ｂ’断面図である。また、図１０は、本変形例に係る単位ブロック体５０に表示パネル２を収納させた状態を示す模式断面図であり、図１１は、本変形例に係る単位ブロック体５０を連結させた表示装置１００ｂを示す模式断面図である。なお、上述した実施形態と共通する構成要素については、同一の符号を付しその説明を省略する。
【００５１】
本変形例においても、筐体部５は、図９（ａ）及び（ｂ）に示すように、複数の単位ブロック体５０が表示面２０ａの視認方向に連結可能となっている。そして、本変更例における単位ブロック体５０は、テーパー部を省略し、凸状部５２と凸状部３２よりも拡大された断面積を有する収納部５８とから構成されている。
【００５２】
凸状部５２は、表示面２０ａと対向する面に、表示面２０ａを視認可能とする開口部５１を有しており、この開口部５１に防塵用基板４が嵌合可能となっている。すなわち、表示面２０ａと開口部５１とが互いに平行な平面内に位置し、筐体部５の外部から開口部５１を通した視野範囲が、内部の表示面２０ａの一部又は全部と重複する状態にあり、開口部５１の内周面において、防塵用基板４の周縁が囲繞されて保持され得る状態となっている。
【００５３】
収納部５８は、凸状部５２又は表示パネル２を収納する部材であり、下方に開口する下部開口部５７を有するとともに、収納部３８の内部には、表示パネル２が収納される空間を有する中空部５３を有している。すなわち、表示パネル２の周縁か、或いは他の単位ブロック体５０の凸状部５２周縁が、中空をなす収納部５８の内周面に囲繞されて保持され得る状態となっている。
【００５４】
また、収納部５８の側部下方は、一部が切り欠かれており、中空部５３に連通する取出口５５が形成されており、この取出口５５の空間にフレキシブル基板２３が配置されるようになっている。また、本変形例では、図１０に示すように、収納部５８の内面に突起部５８ａを設けるとともに、凸状部５２の外面に係合孔５２ａを設けられており、連結時に突起部５８ａと係合孔５２ａとが係合するようになっている。
【００５５】
そして、本変更例においても、中空部５３は、凸状部５２が嵌合可能な形状をなしている。具体的には、図９及び図１０に示すように、中空部５３を形成させる収納部５８及び凸状部５２の内形は、収納部３８及び凸状部３２の外形と同一形状となっている。このような形状とすることで、単位ブロック体５０を連結させた際には、図９（ｂ）に示すように、単位ブロック体５０同士は、隙間が生じることなく積み重ねることができるようになっている。ここで、取出口５５が形成された側方では、図９（ｂ）に示すように、取出口５５の空間が残るが、凸状部５２と嵌合されることで、取出口５５は中空部５３に連通しないようになっている。
【００５６】
このように本変形例では、図１１に示すように、単位ブロック体５０を複数連結することで、防塵用基板４の表面に粉塵７が付着された場合であっても粉塵７の焦点をずらすことができ、表示パネル２から表示される映像を、高画質のまま観察者に観察させることができる。また、本変更例においても、単位ブロック体５０によって、所定のデフォーカス寸法ｄ１に調整することができるので、各表示装置１００ｂの仕様に応じて設定が異なるデフォーカス寸法ｄ１を単一の装置で対応でき、表示装置１００の汎用性を確保することができる。
【００５７】
特に、本変形例では、単位ブロック体５０における側方を切り欠き、取出口５５を形成させるのみで、収納部５８の４方を同一形状とすることができるので、製造工程を減らすことができ、より製造コストを低減させることができる。この際、表示パネル２を収容しない単位ブロック体５０の取出口５５は、図１１に示すように、積層された他の単位ブロック体５０によって内部と挿通しないようになっているので、筐体部５内部に粉塵７が入り込むことについても防止できるようになっている。
【符号の説明】
【００５８】
１…デジタルカメラ、２…表示パネル、３…取付け構造、３ａ，５…筐体部、４…坊塵用基板、１０…電子ビューファインダー、３０，５０…単位ブロック体、１００…表示装置
【図１】
2014157307.tif 000003
【図２】
2014157307.tif 000004
【図３】
2014157307.tif 000005
【図４】
2014157307.tif 000006
【図５】
2014157307.tif 000007
【図６】
2014157307.tif 000008
【図７】
2014157307.tif 000009
【図８】
2014157307.tif 000010
【図９】
2014157307.tif 000011
【図１０】
2014157307.tif 000012
【図１１】
2014157307.tif 000013
【図１２】
2014157307.tif 000014